(57)【特許請求の範囲】
【請求項１】
器具本体と、前記器具本体に着脱可能に取り付けられる光源ユニットとを備え、
前記器具本体は、前面が開口した長尺の箱状に形成され、前記開口した前記前面を正面に向けるようにして壁面に取り付けられ、
前記光源ユニットは、固体光源と、前記固体光源を支持し前記器具本体に取り付けられる取付部材と、前記取付部材を前記器具本体の前記前面に対して前記前面の上端を支点にして回転可能に支持する支持部材と、前記取付部材に設けられているばね部材とを有し、
前記取付部材は、前記器具本体に取り付けられる取付位置と、前記器具本体から離れた開位置との間で回転可能に前記支持部材に支持されており、
前記ばね部材は、前記取付部材に支持された基部と、前記基部から突出する腕部とを有し、前記取付部材が前記取付位置から離れるにつれて前記腕部の変位量を多くするように構成され、
前記器具本体は、前記腕部の先端部分を取り外し可能に支持する支持部と、前記腕部の前記先端部分が着脱可能に引っ掛けられる引掛部とを有していることを特徴とする照明器具。
【請求項２】
前記腕部の前記先端部分が鉤形に形成されており、
前記引掛部は、前記先端部分を着脱可能に引っ掛けるように構成されており、
前記ばね部材は、前記腕部の前記先端部分が前記引掛部に引っ掛けられているとき、前記開位置又は前記開位置の近傍の位置で前記取付部材を仮保持するように構成されていることを特徴とする請求項１記載の照明器具。
【請求項３】
前記支持部は、前記腕部が抜き差し可能に挿通される挿通孔を有し、前記挿通孔に挿通された前記腕部が前記挿通孔の縁に引っ掛かるように構成されていることを特徴とする請求項２記載の照明器具。
【請求項４】
前記支持部と前記引掛部が同一の板材に一体に形成されていることを特徴とする請求項３記載の照明器具。
【発明の詳細な説明】
【技術分野】
【０００１】
本発明は、照明器具に関し、より詳細には、器具本体と、器具本体に着脱可能に支持される光源ユニットとを備えた照明器具に関する。
【背景技術】
【０００２】
従来、器具本体と、器具本体に着脱可能に取り付けられて器具本体に支持される光源部（光源ユニット）とを備えた照明器具が提供されている（例えば、特許文献１参照）。特許文献１記載の照明器具の器具本体は、天板部と、天板部の長手方向に沿った両端縁からそれぞれ下向きに突出する一対の側壁と、一対の側壁のそれぞれの先端から斜め上方へ立ち上がる一対の側板部とを有している。なお、器具本体は、天井に直付けされる。
【０００３】
光源部は、取付部材と、複数の発光素子が実装された基板と、カバー部材とを備えている。取付部材は、先端に引掛部を有する係止壁を有している。係止壁は、取付部材の長手方向に沿った一方の端から取付部材の短手方向に沿って突出している。
【０００４】
光源部は、器具本体の片方の側壁に形成されている孔の周縁に係止壁の引掛部が引っ掛けられることにより、側壁から吊り下げられた状態で器具本体に仮保持される。そして、光源部は、引掛部を支点として回転することにより、取付部材の長手方向に沿った他方の端から取付部材の短手方向に沿って突出する側壁の先端を、器具本体の側壁の下端から突出している係止爪に引っ掛けて器具本体に固定される。
【先行技術文献】
【特許文献】
【０００５】
【特許文献１】特開２０１２−３９９３号公報
【発明の概要】
【発明が解決しようとする課題】
【０００６】
ところで、特許文献１記載の従来例のような器具本体が壁に取り付けられる場合がある。特許文献１記載の従来例の構成では、器具本体が壁に取り付けられた状態で器具本体に光源部（光源ユニット）を仮保持させることが難しかった。
【０００７】
本発明の目的は、器具本体に対して光源ユニットを仮保持させることが可能な照明器具を提供することである。
【課題を解決するための手段】
【０００８】
本発明の一態様に係る照明器具は、器具本体と、前記器具本体に着脱可能に取り付けられる光源ユニットとを備え、前記器具本体は、前面が開口した長尺の箱状に形成され、前記開口した前記前面を正面に向けるようにして壁面に取り付けられている。前記光源ユニットは、固体光源と、前記固体光源を支持し前記器具本体に取り付けられる取付部材と、前記取付部材を前記器具本体の前記前面に対して前記前面の上端を支点にして回転可能に支持する支持部材と、前記取付部材に設けられているばね部材とを有している。前記取付部材は、前記器具本体に取り付けられる取付位置と、前記器具本体から離れた開位置との間で回転可能に前記支持部材に支持されている。前記ばね部材は、前記取付部材に支持された基部と、前記基部から突出する腕部とを有している。前記ばね部材は、前記取付部材が前記取付位置から離れるにつれて前記腕部の変位量を多くするように構成されている。前記器具本体は、前記腕部の先端部分を取り外し可能に支持する支持部と、前記腕部の前記先端部分が着脱可能に引っ掛けられる引掛部とを有している。
【発明の効果】
【０００９】
本発明の照明器具は、器具本体に対して光源ユニットを仮保持させることが可能になるという効果がある。
【図面の簡単な説明】
【００１０】
【図１】図１は、本発明の一実施形態に係る照明器具の斜視図である。
【図２】図２は、同上の照明器具の分解斜視図である。
【図３】図３は、同上の照明器具の光源ユニットを外した状態の正面図である。
【図４】図４は、同上の照明器具を示し、光源ユニットを仮保持している状態の一部を省略した斜視図である。
【図５】図５は、同上の照明器具を示し、光源ユニットを仮保持している状態の一部を省略した斜視図である。
【図６】図６は、同上の照明器具を示し、光源ユニットを仮保持している状態の一部を省略した側面図である。
【図７】図７は、同上の照明器具を示し、一部を省略した背面断面図である。
【発明を実施するための形態】
【００１１】
本発明の一実施形態に係る光源ユニット及び照明器具について、図面を参照して詳細に説明する。以下に説明する実施形態の照明器具は、例えば、建物の避難経路となる階段の踊り場の壁面に設置される照明器具（いわゆる階段通路誘導灯）である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本発明の実施形態に係る照明器具（以下、照明器具と略す）９は、図１及び図２に示すように、光源ユニット１と、器具本体３とを備えている。また、照明器具９は、２つの非常用光源ユニット２と、非常用電源ユニット４と、電池ユニット６と、制御ユニット５と、人検知ユニット７とを備えることが好ましい。なお、以下の説明では、特に断りのない限り、図１に示す向きにおいて、照明器具９の上下、左右及び前後の各方向を規定する。すなわち、照明器具９が階段の踊り場の壁面に設置された状態において、鉛直方向を上下方向とし、壁面の法線方向を前後方向とし、正面から見て左右方向を左右方向とする。
【００１３】
器具本体３は、長尺の矩形平板状に形成される背板３０と、長尺の矩形平板状である上板３１及び下板３２とを有する（図２参照）。上板３１は、背板３０の上端における長手方向の両端部を除く部分から背板３０の法線方向に沿って前方へ突出するように形成されている。同じく、下板３２は、背板３０の下端における長手方向の両端部を除く部分から背板３０の法線方向に沿って前方へ突出するように形成されている。ただし、背板３０と上板３１及び下板３２とは、金属板が曲げ加工されることで一体に形成されることが好ましい（図２参照）。
【００１４】
背板３０は、複数（図示例では４つ）の長孔３００を有している。これらの長孔３００は、背板３０の長手方向に沿って間隔を空けて設けられている（図３参照）。これらの長孔３００はそれぞれ、踊り場の壁（コンクリート壁）に埋設されているアンカーボルトが挿通される。そして、これらのアンカーボルトにナットが締め付けられることによって、器具本体３がコンクリート壁に固定される。また、背板３０の長手方向のほぼ中央に、複数（図示例では２つ）の丸孔３０１が長手方向に並ぶように設けられている（図３参照）。これらの丸孔３０１は、常用電源（商用電源）からの給電用の給電線が挿通される、さらに、背板３０の前面における丸孔３０１の近傍には、複数（図示例では３つ）の端子台３３が取り付けられている。これらの端子台３３には、丸孔３０１から引き込まれる給電線や、建物に設置されている自動火災報知設備から火災信号を受信するための信号線などが電気的に接続される。
【００１５】
器具本体３は、２つの第１受け金具３４及び２つの第２受け金具３５を有している。２つの第１受け金具３４はそれぞれ、上板３１の長手方向（左右方向）の両端近傍の位置に取り付けられている（図３及び図４参照）。これら２つの第１受け金具３４はそれぞれ、矩形板状に形成され、上板３１の下面との間に隙間を空け、かつ、上板３１の下面とほぼ平行に配置されている。また、２つの第１受け金具３４はそれぞれ、概ね矩形の挿通孔３４０を有している。これらの挿通孔３４０のそれぞれに、一対一に対応する引掛金具１６の引掛片１６０及び一対の引掛突起１６２が挿抜可能に挿通される（図４及び図６参照）。
【００１６】
２つの第２受け金具３５はそれぞれ、固定部３５０、連結部３５１、支持部３５２、突出部３５３、引掛部３５４を有している。なお、固定部３５０、連結部３５１、支持部３５２、突出部３５３、引掛部３５４は、１つの金属板が加工されることで一体に形成されていることが好ましい。固定部３５０は、矩形板状に形成され、中央にねじ挿通孔３５００を有している。つまり、固定部３５０は、ねじ挿通孔３５００に挿通されるねじが器具本体３の背板３０にねじ止めされることで器具本体３に固定されている（図５参照）。支持部３５２は、矩形平板状に形成されている。また、支持部３５２は、矩形の挿通孔３５２０を有している。挿通孔３５２０の長手方向は、器具本体３の長手方向（左右方向）に一致している（図５参照）。連結部３５１は、矩形板状に形成されている。連結部３５１の後端が固定部３５０の下端と繋がっている。連結部３５１の前端が支持部３５２の上端と繋がっている。すなわち、固定部３５０と支持部３５２が連結部３５１によって連結されている。突出部３５３は、矩形板状に形成されて支持部３５２の下端から前方へ突出している（図６参照）。突出部３５３は、器具本体３の下板３２の上面に接するように配置されている（図６参照）。引掛部３５４は、突出部３５３から切り起こされて鉤形に形成されている（図５及び図６参照）。
【００１７】
電池ユニット６は、ニッケル水素電池などの２次電池を複数有し、これら複数の２次電池が合成樹脂成形体のケースに収容されて構成される。なお、電池ユニット６は、背板３０の前面における左端の部位に取り付けられることが好ましい（図３参照）。
【００１８】
非常用電源ユニット４は、常用電源から給電される交流電力を直流電力に変換して電池ユニット６を充電する充電回路と、常用電源が停電したときに電池ユニット６から非常用光源ユニット２に供給される直流電流を調整する点灯回路とを有する。さらに、非常用電源ユニット４は、後述する点検スイッチが押操作されたとき、充電回路を強制的に停止し、かつ、電池ユニット６から給電される直流電力で点灯回路に非常用光源ユニット２を点灯させるように構成される。なお、非常用電源ユニット４は、図３に示すように、背板３０の前面における右端の部位に取り付けられることが好ましい。
【００１９】
点検スイッチは、図１及び図３に示すように、合成樹脂製の箱体４０に収容され、下板３２の左端近傍に取り付けられることが好ましい。なお、箱体４０内には、押釦スイッチからなる点検スイッチの他に、赤外線を媒体とするワイヤレス信号を受信する受光素子などが収容されている。箱体４０の下面に、複数の孔４００が設けられている（図１参照）。そして、これらの孔４００を通して点検スイッチの押釦の押操作や、受光素子によるワイヤレス信号の受信が可能となっている。なお、非常用電源ユニット４は、受光素子でワイヤレス信号を受信した場合も、点検スイッチが押操作されたときと同じく、充電回路を強制的に停止し、かつ、電池ユニット６から給電される直流電力で点灯回路に非常用光源ユニット２を点灯させる。
【００２０】
人検知ユニット７は、電波センサ７０と、センサ取付台７１とを有する。電波センサ７０は、ミリ波帯の電波を媒体として人（移動体）を検知し、人を検知したときに人検知信号を制御ユニット５に出力するように構成される。センサ取付台７１は、電波センサ７０を保持し、器具本体３の下板３２における長手方向の中央に取り付けられる（図１〜図３参照）。
【００２１】
制御ユニット５は、常用電源から給電されて動作し、人検知ユニット７（の電波センサ７０）から出力される人検知信号に応じて、光源ユニット１を制御するように構成される。制御ユニット５は、人検知ユニット７から人検知信号が出力されているとき、光源ユニット１に定格点灯するように指示するための制御信号を出力する。また、制御ユニット５は、人検知信号が出力されなくなってから所定の待機時間（例えば、数十秒から数分）が経過したとき、光源ユニット１に消灯又は定格点灯時よりも少ない光量で点灯するように指示するための制御信号を出力する。ただし、制御ユニット５は、常用電源が停電したときは全ての動作を停止する。
【００２２】
光源ユニット１は、図２に示すように、ＬＥＤモジュール１０と、ＬＥＤモジュール１０が取り付けられる取付部材１１と、ＬＥＤモジュール１０を覆うようにして取付部材１１に取り付けられるカバー１２とを備える。また、光源ユニット１は、ＬＥＤモジュール１０に直流電力を供給する電源ユニット１３を備えることが好ましい。
【００２３】
ＬＥＤモジュール１０は、長尺の矩形板状に形成された実装基板１００を有する。実装基板１００は、その前面に複数のＬＥＤ（発光ダイオード）１０１が左右方向（長手方向）に沿って１列に並ぶように実装されている（図２参照）。なお、実装基板１００は、例えば、左側の端部にコネクタが実装されている。このコネクタは、実装基板１００に形成されている導体と、電源ユニット１３の出力線とを電気的に接続するように構成される。
【００２４】
取付部材１１は、板金によってＵ字状に形成されている。取付部材１１は、長尺かつ矩形板状に形成された底板１１０と、底板１１０の上端及び下端からそれぞれ後方に突出する一対の側板１１１とを有する（図２参照）。これら一対の側板１１１の後端には、互いに離れる向き（外向き）に湾曲する引掛部１１２がそれぞれ全長に亘って設けられる。なお、上述したＬＥＤモジュール１０は、例えば、取付部材１１の底板１１０の一部を切り起こすことで形成された爪１１５により、取付部材１１に固定される（図２参照）。
【００２５】
また、取付部材１１は、一対の引掛金具１６と、一対の引掛金具１６のそれぞれを移動可能に支持する一対の支持金具１８と、一対の引掛ばね１７とを有している（図２及び図４〜図７参照）。引掛ばね１７は、ねじりコイルばねからなり、コイル状の基部１７０、第１腕部１７１及び第２腕部１７２を有している（図７参照）。ただし、第１腕部１７１は、第２腕部１７２よりも十分に長く形成されている。また、第１腕部１７１の先端部部は鉤形に曲げられている（図５参照）。
【００２６】
引掛金具１６は、帯状の金属板がＳ字形状に曲げ加工されて構成されており、引掛片１６０と、支持片１６１と、一対の引掛突起１６２とを有している（図４及び図６参照）。一対の引掛突起１６２はそれぞれ、引掛片１６０の先端（上端）から引掛片１６０の短手方向（左右方向）に突出している。支持片１６１は、Ｌ字形状に形成されて引掛片１６０の基端（下端）に繋がっている。
【００２７】
支持金具１８は、矩形板状に形成された本体部１８０を有している。本体部１８０の下端に、引掛ばね１７を保持する保持部１８１と、引掛ばね１７の第２腕部１７２を係止する係止部１８２とが設けられている（図４及び図６参照）。また、本体部１８０は、二対の支持片１８３を有している。これら二対の支持片１８３は、本体部１８０の一部がＬ字形に切り起こされることにより、本体部１８０の後面との間に隙間を空けるように形成されている。また、これら二対の支持片１８３は、上下方向及び左右方向に並ぶように配置されている（図４参照）。引掛金具１６の支持片１６１は、これら二対の支持片１８３と本体部１８０の後面との間に隙間に挿通されることにより、上下方向に沿って移動可能に支持されている（図４及び図６参照）。つまり、引掛金具１６は、引掛片１６０のほぼ全体を側板１１１の外に突出させる第１位置（図４参照）と、引掛片１６０の上端部分（一対の引掛突起１６２を含む部分）のみを側板１１１の外に突出させる第２位置（図７参照）との間を移動することができる。
【００２８】
保持部１８１は、引掛ばね１７の基部１７０を保持するように構成されている。また、係止部１８２は、引掛ばね１７の第２腕部１７２の先端を係止するように構成されている（図４及び図６参照）。したがって、引掛ばね１７は、外力を受けることで第１腕部１７１を取付部材１１から離す向きに撓み、かつ、第１腕部１７１を取付部材１１に近付ける向きの弾性力（ばね力）を生じるように構成されている。
【００２９】
電源ユニット１３は、常用電源から供給される交流電力を直流電力に変換し、当該直流電力をＬＥＤモジュール１０に供給して点灯するように構成される。また、電源ユニット１３は、制御ユニット５から出力される制御信号に応じて、ＬＥＤモジュール１０に供給する直流電力を増減するように構成される。つまり、電源ユニット１３は、制御ユニット５から定格点灯するように指示するための制御信号を受け取った場合、ＬＥＤモジュール１０に定格の直流電力（直流電流）を供給する。また、電源ユニット１３は、制御ユニット５から消灯又は定格点灯時よりも少ない光量で点灯するように指示するための制御信号を受け取った場合、ＬＥＤモジュール１０への直流電力の供給を停止する、あるいは、定格よりも少ない直流電力を供給する。なお、電源ユニット１３は、取付部材１１の後面側において、例えば、ねじなどを用いて側板１１１に取り付けられる（図２参照）。
【００３０】
カバー１２は、図２に示すように、カバー本体１４と一対のカバーエンド１５とを有している。カバー本体１４は、透光性を有する合成樹脂（例えば、アクリル樹脂やポリカーボネート樹脂等）により、長手方向（左右方向）の両端が開放された角筒状に形成されている。一対のカバーエンド１５はそれぞれ、カバー本体１４を形成する材料と同じ材料により、矩形板状に形成されている。一方のカバーエンド１５は、カバー本体１４の左端に取り付けられてカバー本体１４の左側の端面を塞いでいる。他方のカバーエンド１５は、カバー本体１４の右端に取り付けられてカバー本体１４の右側の端面を塞いでいる（図２参照）。なお、カバー本体１４は、一対の突壁部１２０を有している。一対の突壁部１２０は、後方へ突出するように、カバー本体１４の長手方向（左右方向）の全長に渡って設けられている。また、これら一対の突壁部１２０の後端には、内向き（上側の突壁部１２０では下向き、下側の突壁部１２０では上向き）に突出する突起部１２１がそれぞれ設けられている（図２参照）。カバー１２は、一対の突壁部１２０の突起部１２１がそれぞれ、取付部材１１の一対の側板１１１のうちの対応する側板１１１の引掛部１１２に引っ掛かることにより、取付部材１１の前面を被うように取付部材１１に取り付けられる。
【００３１】
２つの非常用光源ユニット２はそれぞれ、非常用ＬＥＤモジュール２０、取付台２１、ユニットカバー２２などを備えている（図２参照）。非常用ＬＥＤモジュール２０は、非常照明用の光源であるＬＥＤ、ＬＥＤから放射される光の配光を制御するレンズ２０１などを有している。取付台２１は、一対の側壁２１０と、これら一対の側壁２１０同士を連結する連結片とを有している。一対の側壁２１０はそれぞれ、矩形板状に形成されている。非常用ＬＥＤモジュール２０は、連結片の前面に取り付けられている。２つのユニットカバー２２はそれぞれ、２つの取付台２１のうちの対応する取付台２１の連結片の前面、上面及び下面を覆うように構成されている。ただし、非常用ＬＥＤモジュール２０のレンズ２０１は、ユニットカバー２２に設けられている窓孔２２３０に挿通されている（図２参照）。
【００３２】
２つの非常用光源ユニット２のうちの一方の非常用光源ユニット２は、器具本体３の長手方向の一端（左端）に取り付けられる。また、２つの非常用光源ユニット２のうちの他方の非常用光源ユニット２は、器具本体３の長手方向の他端（右端）に取り付けられる。つまり、２つの非常用光源ユニット２は、長尺の器具本体３の長手方向の両端に１つずつ配置される（図１参照）。
【００３３】
次に、本実施形態の照明器具９を階段の踊り場の壁に取り付ける場合の作業手順を説明する。取付作業を行う作業者は、まず、２つの非常用光源ユニット２が取り付けられている器具本体３を壁に取り付ける。すなわち、作業者は、壁から引き出されている給電線及び信号線を、後方から前方に向かって背板３０の丸孔３０１に挿通した後、器具本体３の背板３０の複数（例えば、２つ）の長孔３００のそれぞれに、壁から突出している２本のアンカーボルトを１本ずつ挿通する。そして、作業者は、長孔３００に挿通した２本のアンカーボルトのそれぞれにナットを締め付けて器具本体３を壁に固定する。それから、作業者は、丸孔３０１に挿通した給電線及び信号線のそれぞれを、複数の端子台３３のうちの対応する端子台に電気的に接続する。
【００３４】
続いて、作業者は、光源ユニット１を器具本体３に取り付ける。まず、作業者は、光源ユニット１の一対の引掛金具１６をそれぞれ移動させ、それぞれの引掛片１６０を取付部材１１の側板１１１の外に突出させる。そして、作業者は、一対の引掛金具１６のそれぞれの引掛片１６０を、器具本体３の一対の第１受け金具３４のうちの対応する挿通孔３４０に挿通する。このとき、作業者は、引掛突起１６２の先端に設けられている一対の引掛突起１６２のそれぞれを、引掛片１６０の挿通孔３４０の縁に引っ掛ける。つまり、光源ユニット１は、一対の引掛金具１６のそれぞれの一対の引掛突起１６２を支点とし、器具本体３に対して回転可能に仮保持されている。それから、作業者は、光源ユニット１を器具本体３から離れた位置（開位置）に保持し、引掛ばね１７の第１腕部１７１を撓ませ、第１腕部１７１の先端部分を第２受け金具３５の引掛部３５４に引っ掛ける。引掛ばね１７は、第１腕部１７１の先端部分を引掛部３５４に引っ掛ける向きの弾性力（ばね力）を生じる。したがって、光源ユニット１は、引掛ばね１７の弾性力によって、開位置で器具本体３に仮保持される（図４〜図６参照）。
【００３５】
作業者は、光源ユニット１が器具本体３に仮保持されている状態において、給電線が接続されている端子台３３から引き出されている電源ケーブルを電源ユニット１３と電気的に接続する。その後、作業者は、第１腕部１７１の先端部分を、引掛部３５４から外して支持部３５２の挿通孔３５２０に挿通し、器具本体３の前面に光源ユニット１が被さる位置（取付位置）まで光源ユニット１を前から後に向かって回転させる。このとき、引掛金具１６は、引掛片１６０を側板１１１の内側に引っ込める向きに移動する。光源ユニット１は、挿通孔３５２０の縁に接触している第１腕部１７１の弾性力（ばね力）によって取付位置に保持される（図７参照）。以上の手順で照明器具９が壁に取り付けられる。
【００３６】
次に、本実施形態の照明器具９の電池ユニット６を交換する場合の作業手順を説明する。作業者は、光源ユニット１のカバー１２の下面に指を掛け、カバー１２の下部を手前に引くようにして光源ユニット１を後から前に向かって回転させる。そして、作業者は、引掛ばね１７の第１腕部１７１を撓ませ、第１腕部１７１の先端部分を挿通孔３５２０から抜いて第２受け金具３５の引掛部３５４に引っ掛けて光源ユニット１を器具本体３に仮保持させる（図４〜図６参照）。作業者は、光源ユニット１が器具本体３に仮保持されている状態において、器具本体３に取り付けられている電池ユニット６を外して、新しい電池ユニット６を器具本体３に取り付ける。作業者は、電池ユニット６を交換後、第１腕部１７１の先端部分を引掛部３５４から外して支持部３５２の挿通孔３５２０に挿通し、光源ユニット１を取付位置まで回転させる。以上の手順で電池ユニット６の交換作業が完了する。
【００３７】
ここで、第２受け金具３５に引掛部３５４がない場合、引掛ばね１７の弾性力（ばね力）により、器具本体３に対して、光源ユニット１を開位置で仮保持させることができない。そして、光源ユニット１を開位置で仮保持することができなければ、照明器具９の取付作業や電池ユニット６の交換作業などの作業性が著しく低下する虞がある。
【００３８】
これに対して本実施形態の照明器具９は、第２受け金具３５に引掛部３５４が設けられており、引掛ばね１７の第１腕部１７１の先端部分を引掛部３５４に引っ掛けることにより、器具本体３に対して、光源ユニット１を開位置で仮保持させることができる。その結果、本実施形態の照明器具９は、引掛部３５４のない場合（光源ユニット１を開位置で仮保持できない場合）と比較して、照明器具９の取付作業や電池ユニット６の交換作業などの作業性の向上を図ることができる。
【００３９】
また、本実施形態の照明器具９において、引掛部３５４は、第１腕部１７１の先端部分を着脱可能に引っ掛けるように構成されている。引掛ばね１７は、第１腕部１７１の先端部分が引掛部３５４に引っ掛けられているとき、開位置（又は開位置の近傍の位置）で光源ユニット１（取付部材１１）を仮保持するように構成されている。本実施形態の照明器具９は、引掛ばね１７の先端部分を引掛部３５４に引っ掛けるだけの簡単な作業で光源ユニット１を開位置に仮保持することができる。
【００４０】
さらに、支持部３５２は、第１腕部１７１が抜き差し可能に挿通される挿通孔３５２０を有している。挿通孔３５２０に挿通された第１腕部１７１が挿通孔３５２０の縁に引っ掛かるように構成されている。本実施形態の照明器具９は、第１腕部１７１を挿通孔３５２０の縁に引っ掛け、引掛ばね１７の弾性力（ばね力）によって光源ユニット１を器具本体３に取り付けることができる。
【００４１】
また、本実施形態の照明器具９は、支持部３５２と引掛部３５４を同一の板材に一体に形成しているので、部品点数を増やさずに引掛部３５４を設けることができる。
【００４２】
上述のように本実施形態の照明器具９は、器具本体３と、器具本体３に着脱可能に取り付けられる光源ユニット１とを備えている。光源ユニット１は、固体光源（発光ダイオード＜ＬＥＤ１０１＞）と、ＬＥＤ１０１を支持し器具本体３に取り付けられる取付部材１１とを有している。また、光源ユニット１は、取付部材１１を器具本体３に対して回転可能に支持する支持部材（引掛金具１６）と、取付部材１１に設けられているばね部材（引掛ばね１７）とを有している。取付部材１１は、器具本体３に取り付けられる取付位置と、器具本体３から離れた開位置との間で回転可能に引掛金具１６に支持されている。引掛ばね１７は、取付部材１１に支持された基部１７０と、基部１７０から突出する腕部（第１腕部１７１）とを有している。引掛ばね１７は、取付部材１１が取付位置から離れるにつれて第１腕部１７１の変位量を多くするように構成されている。器具本体３は、第１腕部１７１の先端部分を取り外し可能に支持する支持部３５２と、第１腕部１７１の先端部分が着脱可能に引っ掛けられる引掛部３５４とを有している。
【００４３】
本実施形態の照明器具９が上述のように構成されれば、引掛ばね１７の第１腕部１７１の先端部分を引掛部３５４に引っ掛けることにより、器具本体３に対して、光源ユニット１を開位置で仮保持させることができる。
【００４４】
また、本実施形態の照明器具９において、第１腕部１７１の先端部分が鉤形に形成されていることが好ましい。引掛部３５４は、第１腕部１７１の先端部分を着脱可能に引っ掛けるように構成されていることが好ましい。引掛ばね１７は、第１腕部１７１の先端部分が引掛部３５４に引っ掛けられているとき、開位置又は開位置の近傍の位置で取付部材１１を仮保持するように構成されていることが好ましい。
【００４５】
本実施形態の照明器具９が上述のように構成されれば、引掛ばね１７の先端部分を引掛部３５４に引っ掛けるだけの簡単な作業で光源ユニット１を開位置に仮保持することができる。
【００４６】
さらに、本実施形態の照明器具９において、支持部３５２は、第１腕部１７１が抜き差し可能に挿通される挿通孔３５２０を有することが好ましい。支持部３５２は、挿通孔３５２０に挿通された第１腕部１７１が挿通孔３５２０の縁に引っ掛かるように構成されていることが好ましい。
【００４７】
本実施形態の照明器具９が上述のように構成されれば、第１腕部１７１を挿通孔３５２０の縁に引っ掛け、引掛ばね１７の弾性力（ばね力）によって光源ユニット１を器具本体３に取り付けることができる。
【００４８】
またさらに、本実施形態の照明器具９において、支持部３５２と引掛部３５４が同一の板材に一体に形成されていることが好ましい。
【００４９】
本実施形態の照明器具９が上述のように構成されれば、部品点数を増やさずに引掛部３５４を設けることができる。
【符号の説明】
【００５０】
９  照明器具
１  光源ユニット
３  器具本体
１１  取付部材
１６  引掛金具（支持部材）
１７  引掛ばね（ばね部材）
１０１  ＬＥＤ（固体光源）
１７０  基部
１７１  第１腕部（腕部）
３５２  支持部
３５４  引掛部
３５２０  挿通孔
【図１】
0006726875.tif 000002
【図２】
0006726875.tif 000003
【図３】
0006726875.tif 000004
【図４】
0006726875.tif 000005
【図５】
0006726875.tif 000006
【図６】
0006726875.tif 000007
【図７】
0006726875.tif 000008